(57)【特許請求の範囲】
【請求項１】
台秤本体から上方に延びる支柱によって支持された台秤用デジタル表示器内に台秤用の電源である乾電池を収納一体化した台秤の電池収納構造において、
前記デジタル表示器を構成する本体ケース内には、背面側に開口する電池収納室が設けられ、
前記電池収納室には、前記背面側開口部を画成する側壁を介して、電池ホルダーに複数の乾電池を収納一体化した電池パックを出し入れでき、
前記側壁にキャップが装着されて前記電池収納室が密閉される台秤の電池収納構造であって、
前記電池ホルダーの底面には、前記電池収納室の底面との間で前記電池ホルダーの押し込み方向に反発するバネ部材が設けられ、
前記電池ホルダーの天井部には、バネ付勢されてその先端が該ホルダーの天井部の外側方に突出し、その操作部が該ホルダーの天井面に露呈するフックが設けられ、
一方、前記側壁所定位置には、前記フックが係合するフック係合部が設けられたことを特徴とする台秤の電池収納構造。
【請求項２】
前記電池収納室の底面中央部には、前記本体ケース前面側に設けられたデジタル表示装置および前記台秤本体に給電するためのプラス側及びマイナス側の給電端子が同心円状に設けられ、
一方、前記電池パックの底面に設けられたバネ部材は、前記給電端子に対応する同心円状に絶縁配置された電源側給電端子として機能する、大小一対の圧縮コイルバネで構成されたことを特徴とする請求項１に記載の台秤の電池収納構造。
【請求項３】
前記フック係合部は、前記側壁の最上部となる位置に設けられたことを特徴とする請求項１または請求項２に記載の台秤の電池収納構造。
【請求項４】
前記電池ホルダーの天井部側面所定位置には外方突起が、一方、前記側壁の開口端側所定位置には前記外方突起と係合可能なスリットが設けられ、前記外方突起と前記スリットが、前記フックと前記フック係合部を正確に位置合わせするための位置決め手段を構成することを特徴とする請求項１〜３のいずれかに記載の台秤の電池収納構造。
【発明の詳細な説明】
【技術分野】
【０００１】
本発明は、台秤の電池収納構造に係り、特に、台秤本体から上方にのびる支柱によって支持されたデジタル表示器内に設けられた電池収納室に台秤用の電源である乾電池を収納する台秤の電池収納構造に関する。
【背景技術】
【０００２】
台秤は、特許文献１に示すように、荷重検出機構を内蔵した上方に開口する計量台と、前記荷重検出機構の上部に連結された計量皿とからなる荷重測定部と、前記計量台に取付一体化されて上方に伸びる支柱と、前記支柱に下方から支持される表示器と、から構成されている。
【０００３】
一般に魚市場や食品、薬品工場等で使用される台秤は、長期間使用に耐え、交流電源が供給されない場所で使う場合を考慮し、直流電源として複数個の乾電池を使う仕様が知られている。
【０００４】
また、台秤本体内に直流電源を設けることは可能だが、電池の交換作業が簡単で、かつ湿気の影響を受けにくいことを考慮し、台秤本体上方の表示器体内に設ける構成が採用される傾向にある。
【０００５】
例えば、図９に示すように、表示器１の本体ケース２の背面側に設けられた電池収納室３に、キャップ４の内側に乾電池５を収納一体化した電池パック６をネジ７止めすることで、本体ケース２と一体化する電池収納構造が知られている。
【先行技術文献】
【特許文献】
【０００６】
【特許文献１】特開２００２−０３１５６９（段落番号０００５、図１）
【発明の開示】
【発明が解決しようとする課題】
【０００７】
しかし、図９に示す構造において、電池パック６を電池収納室３から取り出すには、ネジ７を外すと電池パック６（キャップ４）が落下するため、片手でキャップ４を保持しながらもう一方の手でネジ７を外さなければならない。同様に、電池パック６を電池収納室３に装着する際も、電池パック６が落ちないようにキャップ４を保持しながらネジ７を止める必要があり、電池交換が面倒である。
【０００８】
特に、デジタル表示器１は、作業をするユーザーが計測値を上方から見易いように表示面が上方を向くよう背面側に後傾させて使用されているため、上記保持を怠ると、キャップ４を開けた瞬間電池パック６が落下するおそれがある。
【０００９】
本発明は、前記従来技術の問題点に鑑みてなされたものであり、その目的は、電池交換が容易な台秤の電池収納構造を提供することにある。
【課題を解決するための手段】
【００１０】
前記目的を達成するために、請求項１に係る台秤の電池収納構造においては、台秤本体から上方に延びる支柱によって支持された台秤用デジタル表示器内に台秤用の電源である乾電池を収納一体化した台秤の電池収納構造において、前記デジタル表示器を構成する本体ケース内には、背面側に開口する電池収納室が設けられ、前記電池収納室には、前記背面側開口部を画成する側壁を介して、電池ホルダーに複数の乾電池を収納一体化した電池パックを出し入れでき、前記側壁にキャップが装着されて前記電池収納室が密閉される台秤の電池収納構造であって、前記電池ホルダーの底面には、前記電池収納室の底面との間で前記電池ホルダーの押し込み方向に反発するバネ部材を設け、前記電池ホルダーの天井部には、バネ付勢されてその先端が該ホルダーの天井部の外側方に突出し、その操作部が該ホルダーの天井面に露呈するフックを設け、一方、前記側壁所定位置には、前記フックが係合するフック係合部を設けるように構成した。
【００１１】
（作用）電池パックを電池収納室に装着する際は、フックとフック係合部を周方向に位置合わせして、電池パックの底面に設けられているバネ部材の反発力に抗して電池パックを電池収納室に押し込むと、側壁に押されたフックがホルダー天井部内に没入して、電池パックを電池収納室内に挿入できる。そして、フックが側壁のフック係合部に対応する位置となると、フック付勢用バネの付勢力によりフック（の先端）がフック係合部に係合して、電池パックが電池収納室に対し確実に抜け止めされた形態に保持される。
【００１２】
一方、電池パックを電池収納室から取り出す際は、電池パックの天井面に露呈しているフックの操作部を指で操作して、フック（先端）とフック係合部との係合を解除すると、電池ホルダーの底面に設けられているバネ部材の付勢力によって電池パックが電池収納室から押し出されて、電池収納室の開口部から電池パックの天井部が突出した形態となる。
【００１３】
即ち、フックとフック係合部を周方向に位置合わせさえすれば、電池パックを電池収納室に押し込むだけでフックが自動的にフック係合部に係合するので、電池パックを電池収納室に簡単に装着でき、一方、フックの操作部を指で操作して、フックのフック係合部との係合を解除すれば、電池ホルダー底面のバネ部材の付勢力で押し出された電池パックの天井部を掴んで電池パックを電池収納室から取り出せるので、片手でも電池交換が可能である。
【００１４】
請求項２においては、請求項１に記載の台秤の電池収納構造において、前記電池収納室の底面中央部には、前記本体ケース前面側に設けられたデジタル表示装置および前記台秤本体に給電するためのプラス側及びマイナス側の給電端子を同心円状に設け、一方、前記電池パックの底面に設けられたバネ部材は、前記給電端子に対応する同心円状に絶縁配置された電源側給電端子として機能する、大小一対の圧縮コイルバネで構成した。
【００１５】
（作用）電池ホルダー底面に介装された電池パックを押し出すためのバネ部材が、電源側給電端子も兼ねるので、電池パックに電源側給電端子を別途設けなくて良い。
【００１６】
請求項３においては、請求項１または請求項２に記載の台秤の電池収納構造において、前記フック係合部は、前記側壁の最上部となる位置に設けるように構成した。
【００１７】
（作用）人には左利きと右利きがあるが、フックとフック係合部との係合を解除する際に、バネ付勢力に抗してフックの操作部を没入する手が右手であっても左手であっても操作しやすい。
【００１８】
請求項４においては、請求項１〜３のいずれかに記載の台秤の電池収納構造において、前記電池ホルダーの天井部側面所定位置には外方突起が、一方、前記側壁の開口端側所定位置には前記外方突起と係合可能なスリットを設け、前記外方突起と前記スリットが、前記フックと前記フック係合部を正確に位置合わせするための位置決め手段となるように構成した。
【００１９】
（作用）電池パック側の外方突起と電池収納室側の側壁のスリットとを周方向に一致させて、電池パックを電池収納室に押し込めば、フックとフック係合部が確実に係合する。
【発明の効果】
【００２０】
以上より、請求項１に係る発明によれば、電池パックの電池収納室への出し入れを、片手でしかも簡単に行うことができるので、電池の交換作業が容易である。
【００２１】
請求項２に係る発明によれば、部品点数が減り、それだけ電池ホルダーの構造が簡潔となる。
【００２２】
請求項３に係る発明によれば、電池交換の時、右利きの人でも左利きの人でもフック操作部を操作しやすく使い勝手がよい。
【００２３】
請求項４に係る発明によれば、フックがフック係合部に係合されないまま電池パックが電池収納室に挿入される誤挿入が防止されて、電池パックの電池収納室内への正確な装着が保障される。
【図面の簡単な説明】
【００２４】
【図１】本発明の実施例に係る台秤の外観斜視図である。
【図２】要部であるデジタル表示器の縦断面図である。
【図３】キャップを外した状態の同デジタル表示器を背面側から見た斜視図である。
【図４】電池パックを電池収納室から取り出した状態の同デジタル表示器を背面側から見た斜視図である。
【図５】電池ホルダーの平面図である。
【図６】電池ホルダーの斜視図である。
【図７】電池ホルダーを底面側からみた斜視図である。
【図８】電池ホルダーの分解斜視図である。
【図９】従来の台秤の電池収納構造を示す斜視図である。
【発明を実施するための最良の形態】
【００２５】
次に、本発明の実施の形態を実施例に基づいて説明する。
【００２６】
図１〜図８は、本発明の実施例を示し、図１は、実施例に係る台秤の外観斜視図である。図２〜図４は、同台秤用のデジタル表示器を示し、図５〜図８は同デジタル表示器内に収納される電池ホルダーが示されている。
【００２７】
これらの図において、台秤１０は、荷重検出機構（図示せず）を内蔵した上方に開口する計量台（ベース部）１２、前記荷重検出機構に連結された計量皿１６（上皿）、および計量皿１６を水平状態に設置するための高さ調節可能な脚具（足コマ）１４からなる台秤本体（荷重測定部）１１と、計量台１２に取付一体化されて荷重測定部１１の側方から上方に延びる支柱１８と、支柱１８の上端部に連結されたデジタル表示器２０とから構成されている。デジタル表示器２０と支柱１８との間には傾動位置調整機構１９が介装され、デジタル表示器２０は支柱１８に対し前後に傾動可能（即ち、支軸L回りに対し傾動調整可能）である。
【００２８】
デジタル表示器２０は、本体ケース２１前面側の荷重値等を表示するデジタル表示部２０ａと、背面側の乾電池を収納する電池収納部２０ｂで構成されている。即ち、本体ケース２１内の前面側には、液晶表示回路を構成する電子液晶を搭載したプリント基板（液晶表示装置）２３ｃ等を収納する基板収納室２２が設けられ、背面側には、複数個の乾電池を収納する電池収納室２４が設けられていて、これらの収納室２２、２４は立壁２４ａによって分離されている。
【００２９】
電池収納室２４は、本体ケース２１内に前後（図２左右方向）に延びる略円柱型で、背面側に開する略円筒形状の側壁２６ａによって画成されている。そして、側壁２６ａの開口部２６を介して電池パック７１を電池収納室２４に出し入れでき、側壁２６ａにキャップ６０を装着することで電池収納室２４が密閉される。
【００３０】
開口部２６を正面視して、側壁２６ａの最上部には、電池ホルダー４０のフック４２（先端部４２ａ）の係合部である周方向所定幅の矩形状スリット２８（フック係合部）が設けられている。側壁２６ａの外周には、キャップ６０の雌ネジ６４と整合する雄ネジ３１が周設され、側壁２６ａの外周基端部側には、電池収納室２４内を防水するためのOリング３４を装着するための一対の水平リブ３２、３２が周設されている。
【００３１】
一方、電池収納室２４の底面（立壁２４ａ）中央部には、電池収納室２４に収納された電池パック７１側の電源側給電端子５１と接続して、プリント基板２３ｃおよび台秤本体１１（の荷重検出機構）に給電するための、金属製給電端子３５（円環状の外側の径の大きいマイナス側端子３５ａと、その内側の径の小さいプラス側端子３５ｂ）が同芯円状に設けられている。そして、給電端子３５（３５ａ、３５ｂ）は、電池収納室２４と基板収納室２２に露出し、電池収納室２４側で電池パック７１に設けられた電源側給電端子５１に接触し、基板収納室２２のプリント基板２３ｃ等を介して台秤本体１１へ給電する。
【００３２】
具体的には、基板収納室２２側に露出している給電端子３５（３５ａ、３５ｂ）は、給電コードを接続し、給電コードを介してプリント基板２３ｃの液晶表示装置駆動回路に接続され、さらにプリント基板２３ｃと電気的に接続された本体ケース２１下方に突出するコネクタ２３からのケーブル２３ａを介して台秤本体１１（の荷重検出機構）と電気的に接続されている。
【００３３】
電池ホルダー４０は、図８に示すように、主として天井部４１、上ケース４３および下ケース４８から構成される全体が略円筒型の樹脂製品である。
【００３４】
上ケース４３は、周方向等間隔３箇所にC字状凹部５４が設けられた略円形の上面部４３ａと、上面部４３ａの中央部から下方に延びる横断面略六角形状の中央支柱部４３ｃと、上面部４３ａの円周端部から下方に周方向等間隔に延びる６本の略三角形状の側方支柱部４３ｂとを備えている。
【００３５】
上面部４３ａの下面側には、C字状凹部５４寄りの３箇所には電極バネ５２を構成するプラス側端子５２ｂが、それ以外の円周部３箇所には前記バネを構成するマイナス側端子５２ａが周方向に連続して並ぶように敷設されている。
【００３６】
天井部４１は、上面部４３ａと同形の（C字状凹部５４が設けられた）略円盤状の樹脂体で、上ケース４３の上面部４３ａにビス止めされるものであって、図２に示すように、天井部４１の下面側円周端部寄りの周方向所定位置には、半径方向に延びる凹溝４１ｂが設けられ、凹溝４１ｂと上面部４３ａによってフック収容部屋４１ｃが画成されるとともに、該収容部屋の半径方向略中央部には、フック操作部４２ｂを天井部４１に露出させるための矩形状開口部４１ａが設けられている。
【００３７】
フック収容部屋４１ｃには、天井部４１に設けられた開口部４１ａからフック操作部４２ｂを露出させたフック４２が半径方向にスライド可能に収容されるとともに、該フック４２は圧縮コイルスプリング４２ｃによってその先端部４２ａを天井部４１の外側方に突出する形態に付勢保持されている。
【００３８】
先端部４２ａは縦断面三角状で、電池パック７１を電池収納室２４に押し込む際に、電池ホルダー４０に組み込んだときの下面側が（図２参照）側壁２６ａ端部と干渉してフック没入方向に力を受けるので、先端部４２ａがフック収容部屋４１ｃに没入しやすい。
【００３９】
そして、開口部４１ａの縁で係止しているフック操作部４２ｂを、圧縮コイルスプリング４２ｃの付勢力に抗して図２下方向に押し下げれば、先端部４２ａがフック収容部屋４１ｃ内に没入する。
【００４０】
一方、フック４２が設けられた側と反対側（図５下方側）の円周部には、電池ホルダー４０の側面外形に倣った半円弧状の線材を、その両端部を折り曲げ天井部４１に内包した取手４６が取付一体化されている。取手４６は、電池パック７１が電池収納室２４に装着されているときは天井部４１の外周に沿って収納され、電池パック７１を電池収納室２４から取り出すときは取手４６の半円弧の頂点部を天井部４１上方（図５前方向）に向かって押し上げると起立する。
【００４１】
また、下ケース４８は、上面部４３ａと同形の下面部４８ａと、該下面部の円周端部から上方に延び側方支柱部４３ｂと一対となる６本の略三角形状の側方支柱部４８ｂを備えている。
【００４２】
下面部４８ａの上面側には、上面部４３ａと同様に電極バネ５２が２つ敷設されるとともに、電極バネ５２（のプラス側端子５２ｂ）に周方向に続いてマイナス側端子５２Ａが敷設され、端子５２Ａに続いて、後述する電源側給電端子５１ｂと一体で電極バネ５３を構成するプラス側端子５２Ｂがその線部を下面部４８ａの線溝５０に固定保持されて敷設されている。
【００４３】
下ケース４８の下面部４８ａの中央部には、円筒型の絶縁隔壁によって分離された、円環状の外側の（マイナス側端子用の）端子収容室４９ａと、その内側の（プラス側端子用の）端子収容室４９ｂが成形されている。端子収容室４９ａには、径の大きい圧縮コイルスプリング５１ａが下面部４８ａの下面側から固定保持されて収容され、端子収容室４９ｂには、径の小さい圧縮コイルスプリング５１ｂが下面部４８ａの上面側から（線溝５０で）固定保持されて収容されているので、両圧縮コイルスプリング５１ａ、５１ｂは同心円状に絶縁配置されるとともに、圧縮コイルスプリング５１ａは下面部４８ａに敷設されたマイナス側端子５２Ａと接触してマイナス側の電源側給電端子となり、圧縮コイルスプリング５１ｂは前記プラス側端子５２Ｂと一体（電極バネ５３）であるのでプラス側の電源側給電端子となる。
【００４４】
そして、電源側給電端子を兼ねる圧縮コイルスプリング５１ａ、５１ｂはそれぞれ、電池パック７１を電池収納室２４に収納すると、電池収納室２４の底面に設けられたマイナス側の給電端子３５ａとプラス側の給電端子３５ｂと接触する。
【００４５】
また、圧縮コイルスプリング５１ａ、５１ｂは、ともに下ケース４８の下面部４８ａ（端子収容室４９ａ、４９ｂ）から一部突出した形態となっていて、電池パック７１を電池収納室２４に押し込むと反発し、電池パック７１の天井部４１が開口部２６から突出する。
【００４６】
そして、上ケース４３と下ケース４８を、上面部４３ａ、下面部４８ａのC字状凹部５４が周方向にずれるように組立てれば（側方支柱部４３ｂ、４８ｂの端部同士を嵌合すれば）電池ホルダー４０となり、側方支柱部４３ｂ、４８ｂと中央支柱部４３ｃとの間に（C字状凹部５４側にプラス極側の面を向けて）単一乾電池７０を円弧状に（並列状態に）６個収納すれば、単一乾電池６本を直列接続した電池パック７１となる。
【００４７】
なお、電池パック７１のC字状凹部５４から乾電池７０のプラス側の面の一部が露出するので、乾電池７０に指かけしやすく、乾電池７０を簡単に電池ホルダー４０から取り外せる。
【００４８】
キャップ６０は、電池収納室２４の側壁２６ａに装着する縦断面略コ字型の偏平な円筒形状の樹脂成形体である。キャップ６０の側壁６６の内周には、電池収納室２４を画成する側壁２６ａの雄ネジ３１と整合する雌ネジ６４が周設され、側壁６６の外周には、キャップ６０装脱着時に指かけするための指かけ用凹部６２が周方向等ピッチで設けられており、指かけ用凹部６２に指をかけてキャップ６０を側壁２６ａに被せ周方向に回すと、雌ねじ６４と雄ねじ３１が螺合してキャップ６０を電池収納室２４の側壁２６ａに装着できる。
【００４９】
また、電池パック７１を電池収納室２４に装着する際は、まず、いずれか一方の手で電池パック７１を持ち、電池パック７１のフック４２と電池収納室２４のスリット２８とを周方向に位置合わせして、電池パック７１を電池収納室２４に挿入し、さらに電池パック７１の下面部４８ａ（端子収容室４９ａ、４９ｂ）に設けられている圧縮コイルスプリング５１の反発力に抗して電池パック７１を電池収納室２４に押し込む。すると、側壁２６ａの円周端部に押されてフック４２（先端部４２ａ）が電池パック７１の天井部４１（フック収容部屋４１ｃ）内に没入して、電池パック７１が電池収納室２４内に挿入できる。
【００５０】
次に、フック４２が側壁２６ａのスリット２８に対応する位置まで電池パック７１が挿入されると、圧縮コイルスプリング４２ｃの付勢力によりフック４２（先端部４２ａ）が再び外側方向に突出し、スリット２８に係合され、電池パック７１が電池収納室２４に対し確実に抜け止め保持される。
【００５１】
即ち、フック４２とスリット２８を周方向に位置合わせさえすれば、電池パック７１を電池収納室２４に押し込むだけなので、片手でも電池パック７１を挿入できる。しかも、圧縮コイルスプリング４２ｃに付勢されてフック４２（先端部４２ａ）は自動的にスリット２８に係合するので、電池パック７１を電池収納室２４内に簡単に装着することができる。
【００５２】
次に、キャップ６０を側壁２６ａに被せて周方向に回せば、雌ねじ６４と雄ねじ３１が螺合して電池収納室２４が密閉される。この際、キャップ６０は従来のキャップ４のように、本体ケース背面側に別部材のネジ７で取り付けるのではなく、キャップ６０自体が雌ねじ６４となっているので、キャップ６０を周方向に回すだけで固定できる。
【００５３】
さらに、キャップ６０の側壁６６に設けられた指かけ用凹部６２によって、キャップ６０を周方向に回す際の指がかりが良く、周方向に難なく回すことができるので、キャップ６０の装着作業が簡単である。
【００５４】
一方、電池パック７１を電池収納室２４から取り出す際は、まず、片手でキャップ６０を周方向に回し、キャップ６０を本体ケース２１（側壁２６ａ）から取り外す。
【００５５】
特に、デジタル表示器２０は通常後傾して用いられているため、従来の電池収納構造（図９参照）では、もう一方の手でキャップ４を保持しなければ、キャップ４を開けた瞬間電池パック６が電池収納室３から滑り落ちる可能性があるが、本実施例では、電池パック７１がフック４２とスリット２８により電池収納室２４内に抜け止め保持されているためそのおそれはない。
【００５６】
次に、電池パック７１本体は電池収納室２４に収納され、天井部４１（の上面側）のみが開口部２６（側壁２６ａの円周端部）と面一に露出している。
【００５７】
そこで、天井部４１から露呈しているフック操作部４２ｂを摘んで、フック４２を、フック４２の先端部４２ａが没入する方向（図２下方向）に押し下げて、フック４２（先端部４２ａ）とスリット２８との係合を解除すると、電池パック７１の下面部４８ａ（端子収容室４９ａ、４９ｂ）に介装された圧縮コイルスプリング５１の付勢力によって、電池パック７１が電池収納室２４から押し出され、電池収納室２４の開口部２６（側壁２６ａ円周端部）から電池パック７１の天井部４１が突出した形態となる。
【００５８】
次に、天井部４１の外周に沿って収容されている取手４６を、天井部４１上方（図５前方向）に押し上げ起立させ、フック４２を没入した手の他の指等を使って取手４６を掴み、本体ケース２１背面側方向に引けば、電池パック７１を電池収納室２４から取り出すことができる。
【００５９】
即ち、キャップ６０を開け、フック操作部４２ｂを押し下げて、電池パック７１の抜け止め（フック４２とスリット２８の係合）を解除し、その手で取手４６を掴み電池パック７１を引き抜くだけなので、片手でも電池パック７１を取り出せる。しかも、フック４２とスリット２８の係合を解除すれば、圧縮コイルスプリング５１に付勢されて電池パック７１の天井部４１が自動的に電池収納室２４から突出するので、取手４６を掴みやすく、簡単に電池パック７１を電池収納室２４から取り出せる。
【００６０】
また、電池ホルダー４０の下面部４８ａの下面側に別途バネ部材を設け、圧縮コイルスプリング５１は電源側給電端子としてのみ機能させてもよいが、圧縮コイルスプリング５１が電源側給電端子を兼ねるため、電池パック７１側の電源側給電端子を省け部品点数が減るので、それだけ電池ホルダー４０の構造が簡潔となる（請求項２）。
【００６１】
また、フック４２の係合部であるスリット２８は、側壁２６ａの周方向いずれの位置に設けてもよいが、スリット２８を、開口部２６を正面視して側壁２６ａの最上部に設ければ、右利きの人でも左利きの人でもフック操作部４２ｂを摘みやすく、電池交換時の使い勝手が良い（請求項３）。
【００６２】
また、フック４２とスリット２８の周方向の位置合わせをせずに電池パック７１を電池収納室２４に押し込むと、電池ホルダー４０のフック４２は圧縮コイルスプリング４２ｃの付勢力で外側方に突出しているため、先端部４２ａは、開口部２６の円周端部のいずれの箇所と接触しても天井部４１に没入し、フック４２とスリット２８が係合しないまま電池パック７１が電池収納室２４に挿入（誤挿入）されるおそれがある。
【００６３】
これを防ぐため、本実施例では、電池ホルダー４０（上ケース４３）側面の天井部４１側に、フック４２から天井部４１の外周に沿って時計回りに９０°の位置に矩形状の突起４４が電池ホルダー４０の外側方に突出して設けられ、一方、電池収納室２４の側壁２６ａの円周端部には、スリット２８から側壁２６ａ円周に沿って時計回りに９０°の位置に突起４４が係合可能な切り欠き３０（縦スリット）が欠成されている。
【００６４】
突起４４と切り欠き３０とを周方向に合わせ係合させると、係合箇所から側壁２６ａ円周に沿って反時計回りに９０°の位置で、フック４１とスリット２８が周方向に確実に一致するので、フック４１とスリット２８とを正確に位置合わせすることができる。
【００６５】
即ち、電池パック７１を電池収納室２４に装着する際に、突起４４と切り欠き３０とを周方向に一致させて電池パック７１を電池収納室２４に押し込めば、フック４１とスリット２８が確実に係合するので、前記誤挿入が防止され、電池パック７１の（電池収納室２４内への）正確な装着が保障される。
【００６６】
なお、突起４４と切り欠き３０はフック４２とスリット２８の周方向の位置合わせのための位置決め手段であるので、その位置合わせが正確にされる限り、それぞれ電池パック７１の側面周方向、電池収納室２４の側壁２６ａの円周端部周方向いずれの位置に設けてもよい（請求項４）。
【００６７】
また、電池収納室２４の側壁２６ａには、側壁２６ａの基端部と基端部側の水平リブ３２との間にシートパッキン３３が周設され、一対の水平リブ３２、３２の間にOリング３４（リング状弾性体）が周設されている。
【００６８】
キャップ６０の雌ねじ６４と電池収納室２４の側壁２６ａの雄ねじ３１を螺着する（キャップ６０を閉める）と、Oリング３４は一対の水平リブ３２、３２間の間隙深さ方向に押縮され、シートパッキン３３も側壁２６ａの基端部側に押圧されるため、両者キャップ６０、側壁２６ａ間の隙間が確実に閉塞密封され、電池収納室２４の防水性が確保される。
【００６９】
また、突起４４を切り欠き３０に係合させなければ、突起４４が側壁２６ａの円周端部で係止され、その分電池パック７１が電池収納室２４に収まらず開口部２６ａ（の円周端部）から突出する。そのため、キャップ６０を閉めようとしても、前記突出が邪魔となって雌ねじ６４と雄ねじ３１が整合せず、キャップ６０が閉まらないこととなる。
【００７０】
即ち、電池交換時にキャップ６０が開けられ、電池収納室２４の密封性が一旦解かれても、再び電池パック７１を電池収納室２４に挿入するには、突起４４と切り欠き３０を一致させる必要があるので、両者突起４４、切り欠き３０は必ず係合される。そして、突起４４と切り欠き３０が一致すれば、第１に、フック４２とスリット２８が確実に係合し、第２に、電池パック７１が電池収納室２４内に収まりキャップ６０で室内を密封できるので、電池交換を経ても、前記電池パック７１の抜け止めと、前記電池収納室２４の防水性が保障される。
【００７１】
なお、前記した実施例では、電池収納室２４の形状（側壁２６ａの内周形状）、即ち開口部２６の形状を円柱（円筒）形状として説明したが、四角形、五角形その他の多角形状であってもよい。
【産業上の利用可能性】
【００７２】
本発明は、支柱によって上方に支持されるデジタル表示器を有する台秤、体重計その他の秤に広く適用できるものである。
【符号の説明】
【００７３】
１０  台秤
１１  台秤本体
１８  支柱
２０  台秤用デジタル表示器
２１  本体ケース
２４  電池収納室
２６  開口部
２６ａ  側壁
２８  スリット
３０  切欠き
３５  給電端子
４０  電池ホルダー
４１  電池ホルダーを構成する天井部
４２  フック
４２ｂ  フック操作部
４２ｃ  圧縮コイルスプリング
４３  電池ホルダーを構成する上ケース
４４  突起
４８  電池ホルダーを構成する下ケース
５１  圧縮コイルスプリング
６０  キャップ
７０  電源である乾電池
７１  電池パック
【図１】
0005448986.tif 000002
【図２】
0005448986.tif 000003
【図３】
0005448986.tif 000004
【図４】
0005448986.tif 000005
【図５】
0005448986.tif 000006
【図６】
0005448986.tif 000007
【図７】
0005448986.tif 000008
【図８】
0005448986.tif 000009
【図９】
0005448986.tif 000010